(57)【要約】【課題】表示画面を機器本体に向けた状態で表示ユニットが収納位置にあるとき以外で電源のオフ操作がされた場合に撮影者に警告して表示ユニットが破損するのを防止する。【解決手段】電子機器は、機器本体１に対して表示ユニット２が可動部３を介して突出位置と収納位置とに変位可能に、かつ前記突出位置で回転可能に支持される。そして、電源のオフ操作が検知された場合に、開閉検出手段５により表示ユニット２が前記突出位置にあると検知されたとき、及び回転検知手段６により表示ユニット２が前記収納位置で表示画面を機器本体１の反対側に向けていると検知されたときに、表示ユニット２に警告表示する。【選択図】図１
2017011656.tif 000002
【特許請求の範囲】
【請求項１】
機器本体に対して表示ユニットが可動部を介して突出位置と収納位置とに変位可能に、かつ前記突出位置で回転可能に支持される電子機器であって、
電源のオン／オフ操作を検知する操作検知手段と、
前記表示ユニットが前記突出位置にあるか前記収納位置にあるかを検知する開閉検知手段と、
前記表示ユニットが前記収納位置で表示画面を前記機器本体の反対側に向けているかを検知する回転検知手段と、
前記操作検知手段により前記電源のオフ操作が検知された場合に、前記開閉検知手段により前記表示ユニットが前記突出位置にあると検知されたとき、及び／又は前記回転検知手段により前記表示ユニットが前記収納位置で表示画面を前記機器本体の反対側に向けていると検知されたときに、警告を行う警告手段と、を備えることを特徴とする電子機器。
【請求項２】
前記機器本体に対する衝撃を検出する衝撃検出手段を備え、
前記警告手段は、前記電源がオンの状態で前記衝撃検出手段により衝撃が検出された場合、前記開閉検知手段により前記表示ユニットが前記突出位置にあると検知されたとき、及び／又は前記回転検知手段により前記表示ユニットが前記収納位置で表示画面を前記機器本体の反対側に向けていると検知されたときに、警告を行うことを特徴とする請求項１に記載の電子機器。
【請求項３】
前記表示ユニットは、オートパワーオフ機能を有し、
前記警告手段は、前記オートパワーオフ機能により電源がオフされるときは、警告を行わないことを特徴とする請求項１又は２に記載の電子機器。
【請求項４】
前記警告手段は、前記表示ユニットへの警告表示、又は音により警告を行うことを特徴とする請求項１乃至３のいずれか一項に記載の電子機器。
【請求項５】
機器本体に対して表示ユニットが可動部を介して突出位置と収納位置とに変位可能に、かつ前記突出位置で回転可能に支持される電子機器を制御する方法であって、
電源のオン／オフ操作を検知する操作検知ステップと、
前記表示ユニットが前記突出位置にあるか前記収納位置にあるかを検知する開閉検知ステップと、
前記表示ユニットが前記収納位置で表示画面を前記機器本体の反対側に向けているかを検知する回転検知ステップと、
前記操作検知ステップで前記電源のオフ操作が検知された場合に、前記開閉検知ステップで前記表示ユニットが前記突出位置にあると検知されたとき、及び／又は前記回転検知ステップで前記表示ユニットが前記収納位置で表示画面を前記機器本体の反対側に向けていると検知されたときに、警告を行う警告ステップと、を備えることを特徴とする電子機器の制御方法。
【発明の詳細な説明】
【技術分野】
【０００１】
本発明は、例えばデジタルカメラ等の電子機器に関し、特に、機器本体に対して表示ユニットが可動部を介して収納位置と突出位置との間で変位可能な電子機器、及びその制御方法に関する。
【背景技術】
【０００２】
デジタルカメラ等の電子機器では、機器本体に対して表示ユニットが可動部を介して突出位置と収納位置とに変位可能、かつ突出位置で回転可能に支持されるものがある。このような電子機器では、表示ユニットを突出位置で回転操作することができるので、表示ユニットを機器本体に収納する際に、表示画面を機器本体に向けた状態又は機器本体の反対側に向けた状態で表示ユニットを収納することが可能となる。
【０００３】
この場合、電子機器を使用していないときには、表示画面を機器本体に向けた状態で表示ユニットを収納状態とすることで、表示画面に傷がついたり表示ユニットが破損したりするのを防止することが可能となる。一方、機器本体に対して表示ユニットが突出位置にあるとき、又は表示画面を機器本体の反対側に向けた状態で表示ユニットを収納したときには、表示画面に傷がついたり表示ユニットが破損したりするおそれがある。
【０００４】
従来、車載用収納式モニタ表示装置において、表示装置が突出位置と収納位置の間に位置しているときに、電源のオフ操作を検知すると、駆動モータにより表示装置を自動的に突出位置へと駆動する技術が提案されている（特許文献１）。この提案では、突出位置と収納位置の間に位置している状態で表示装置を回転操作した際に、表示装置が装置本体に干渉するのを防ぐことができる他、表示装置を装置本体に収納する際の利用者の操作の負担を軽減することができるとしている。
【０００５】
また、カメラ本体に対して表示装置が収納状態になると、電源がオフするカメラが提案されている（特許文献２）。この提案では、電源のオフ操作の手間が省け、また、電源のオフし忘れによる無駄な電力消費を防ぐことができるとしている。
【先行技術文献】
【特許文献】
【０００６】
【特許文献１】特開平０６−１２７３１４号公報
【特許文献２】特開２００３−８７６４２号公報
【発明の概要】
【発明が解決しようとする課題】
【０００７】
しかし、上記特許文献１では、駆動モータ等を搭載する必要があるため、電子機器の小型軽量化を妨げる原因になる。また、上記特許文献２では、表示画面を機器本体の反対側に向けた状態で表示ユニットを収納可能な機器の場合には、機器の使用中に表示ユニットの収納位置で電源がオフして、機器を使用することができなくなる。
【０００８】
そこで、本発明は、表示画面を機器本体に向けた状態で表示ユニットが収納位置にあるとき以外で電源のオフ操作がされた場合に撮影者に警告することにより、表示画面に傷が付いたり表示ユニットが破損するのを防止する技術を提供する。
【課題を解決するための手段】
【０００９】
上記目的を達成するために、本発明は、機器本体に対して表示ユニットが可動部を介して突出位置と収納位置とに変位可能に、かつ前記突出位置で回転可能に支持される電子機器であって、電源のオン／オフ操作を検知する操作検知手段と、前記表示ユニットが前記突出位置にあるか前記収納位置にあるかを検知する開閉検知手段と、前記表示ユニットが前記収納位置で表示画面を前記機器本体の反対側に向けているかを検知する回転検知手段と、前記操作検知手段により前記電源のオフ操作が検知された場合に、前記開閉検知手段により前記表示ユニットが前記突出位置にあると検知されたとき、及び／又は前記回転検知手段により前記表示ユニットが前記収納位置で表示画面を前記機器本体の反対側に向けていると検知されたときに、警告を行う警告手段と、を備えることを特徴とする。
【発明の効果】
【００１０】
本発明によれば、表示画面を機器本体に向けた状態で表示ユニットが収納位置にあるとき以外で電源のオフ操作がされた場合に、撮影者に警告する。これにより、電子機器の小型軽量化を可能にしつつ、表示画面に傷が付いたり表示ユニットが破損するのを防止することができる。
【図面の簡単な説明】
【００１１】
【図１】本発明の電子機器の第１の実施形態であるデジタルカメラを背面側から見た斜視図である。
【図２】ヒンジ部の拡大斜視図である。
【図３】（ａ）は開閉検知スイッチがオンで回転検知スイッチがオフのときのカメラ本体に対する表示ユニットの状態を示す斜視図、（ｂ）は（ａ）の状態でのヒンジ部の拡大斜視図である。
【図４】（ａ）は開閉検知スイッチがオンで回転検知スイッチがオンのときのカメラ本体に対する表示ユニットの状態を示す斜視図、（ｂ）は（ａ）の状態でのヒンジ部の拡大斜視図である。
【図５】（ａ）は開閉検知スイッチがオフで回転検知スイッチがオフのときのカメラ本体に対する表示ユニットの状態を示す斜視図、（ｂ）は（ａ）の状態でのヒンジ部３の拡大斜視図である。
【図６】（ａ）は開閉検知スイッチがオフで回転検知スイッチがオンのときのカメラ本体に対する表示ユニットの状態を示す斜視図、（ｂ）は（ａ）の状態でのヒンジ部３の拡大斜視図である。
【図７】電源ボタンがオフ操作された後、カメラ本体の電源がオフするまでの動作を説明するフローチャート図である。
【図８】表示ユニットが突出位置にあるときの警告表示例を示す図である。
【図９】表示ユニットが収納位置で表示画面が露出しているときの警告表示例を示す図である。
【図１０】カメラ起動時の警告表示例を示す図である。
【図１１】オートパワーオフ信号が出力される場合の動作を説明するフローチャート図である。
【図１２】本発明の電子機器の第２の実施形態であるデジタルカメラにおいて、カメラ本体に対して何らかの衝撃が加わり、加速度センサから信号が出力されたときの動作を説明するフローチャート図である。
【図１３】本発明の電子機器の第３の実施形態であるデジタルカメラにおいて、カメラ本体の電源がオンされてからオフされるまでのデジタルカメラの動作を説明するフローチャート図である。
【発明を実施するための形態】
【００１２】
以下、図面を参照して、本発明の実施形態を説明する。
【００１３】
（第１の実施形態）
図１は、本発明の電子機器の第１の実施形態であるデジタルカメラを背面側から見た斜視図である。
【００１４】
本実施形態のデジタルカメラは、図１に示すように、カメラ本体１の背面側にＬＣＤ等から構成される表示ユニット２がヒンジ部３を介して開閉方向にＡ軸を中心に回動可能に、かつ開き位置でＢ軸を中心に回転可能に支持されている。
【００１５】
また、カメラ本体１の背面部には、スピーカ９が設けられ、カメラ本体１の上面部には、不図示の電源スイッチをオン／オフ操作する電源ボタン４が設けられている。カメラ本体１の正面側（図１の背面側）には、交換式の不図示のレンズユニットが着脱可能に装着される。
【００１６】
本実施形態では、図１に示す表示ユニット２の開き位置をカメラ本体１から表示ユニット２が突出する突出位置とし、表示ユニット２を閉じてカメラ本体１の背面部に収納した位置を収納位置とする。
【００１７】
また、表示ユニット２を突出位置でＢ軸を中心に回転操作することができるので、表示ユニット２をカメラ本体１の背面部に収納する際に、表示画面をカメラ本体１の背面部に向けた状態又は背面部の反対側に向けた状態で表示ユニット２を収納可能である。
【００１８】
ここで、カメラ本体１は、本発明の機器本体の一例に相当し、ヒンジ部３は、本発明の可動部の一例に相当する。なお、本実施形態では、カメラ本体１に対して表示ユニット２がヒンジ部３を介して回動可能に支持される場合を例示したが、これに限定されない。即ち、機器本体に対して表示ユニットが可動部を介して突出位置と収納位置とに変位可能に支持される電子機器であれば、表示ユニットの突出位置と収納位置との間の変位形態は特に限定されない。
【００１９】
図２は、ヒンジ部３の拡大斜視図である。図２に示すように、ヒンジ部３の内部には、表示ユニット２の開閉状態を検知する開閉検知スイッチ５、及び表示ユニット２の表示画面の向きを検知する回転検知スイッチ６が設けられている。また、ヒンジ部３の内部には、表示ユニット２を開閉方向に回動可能に支持する開閉可動部７、及び表示ユニット２を突出位置で回転可能に支持する回転可動部８が設けられている。
【００２０】
開閉検知スイッチ５は、表示ユニット２が突出位置にあるとき、開閉可動部７に設けられた突起部７ａにより押されることでオンし、これにより、表示ユニット２の開閉状態を検知する。また、回転検知スイッチ６は、表示ユニット２の表示画面が突出位置で正面側を向いたときに（図４（ａ）参照）、回転可動部８に設けられた突起部８ａに押されることでオンし、これにより、表示ユニット２の表示画面の向きを検知する。
【００２１】
図３（ａ）は開閉検知スイッチ５がオンで回転検知スイッチ６がオフのときのカメラ本体１に対する表示ユニット２の状態を示す斜視図、図３（ｂ）は図３（ａ）の状態でのヒンジ部３の拡大斜視図である。図３に示す状態では、表示ユニット２は、突出位置に配置され、表示画面が撮影者側を向いている。
【００２２】
図４（ａ）は開閉検知スイッチ５がオンで回転検知スイッチ６がオンのときのカメラ本体１に対する表示ユニット２の状態を示す斜視図、図４（ｂ）は図４（ａ）の状態でのヒンジ部３の拡大斜視図である。図４に示す状態では、表示ユニット２は、突出位置に配置され、表示画面が被写体側（正面側）を向いている。
【００２３】
図５（ａ）は開閉検知スイッチ５がオフで回転検知スイッチ６がオフのときのカメラ本体１に対する表示ユニット２の状態を示す斜視図、図５（ｂ）は図５（ａ）の状態でのヒンジ部３の拡大斜視図である。図５に示す状態では、表示ユニット２は、収納位置に配置され、表示画面がカメラ本体１の背面部を向いているため、撮影者は、表示画面を見ることができない。
【００２４】
図６（ａ）は開閉検知スイッチ５がオフで回転検知スイッチ６がオンのときのカメラ本体１に対する表示ユニット２の状態を示す斜視図、図６（ｂ）は図６（ａ）の状態でのヒンジ部３の拡大斜視図である。図６に示す状態では、表示ユニット２は、収納位置に配置され、表示画面がカメラ本体１の背面部の反対側を向いた状態で露出しているため、撮影者は、表示画面を見ることができる。
【００２５】
図７は、電源ボタン４がオフ操作された後、カメラ本体１の電源がオフするまでの動作を説明するフローチャート図である。図７に示す各処理は、図示は省略するが、カメラ本体１のＲＯＭ等に記憶されたプログラムがＲＡＭに展開されてカメラ制御回路のＣＰＵ等により実行される。
【００２６】
図７において、ステップＳ１０１では、カメラ制御回路は、電源ボタン４がオフ操作されて電源スイッチがオフしたことを検知すると、ステップＳ１０２に進む。ここでは、カメラ制御回路は、操作検知手段として機能する。ステップＳ１０２では、カメラ制御回路は、開閉検知スイッチ５のオン／オフ状態を判定する。
【００２７】
そして、カメラ制御回路は、開閉検知スイッチ５がオンの場合は、表示ユニット２が突出位置（図３及び図４参照）にあると判断してステップＳ１０３に進む。一方、カメラ制御回路は、開閉検知スイッチ５がオフの場合は、表示ユニット２が収納位置（図５及び図６）にあると判断してステップＳ１０４に進む。
【００２８】
ステップＳ１０３では、カメラ制御回路は、表示ユニット２の表示画面に例えば図８に示す警告文を一定時間表示して、ステップＳ１０６に進み、カメラ本体１の電源をオフして処理を終了する。これにより、撮影者に対して突出位置にある表示ユニット２を表示画面をカメラ本体１の背面部に向けて収納するように促して表示画面に傷がついたり表示ユニット２が破損したりするのを防止する。
【００２９】
ステップＳ１０４では、カメラ制御回路は、回転検知スイッチ６のオン／オフ状態を判定する。そして、カメラ制御回路は、回転検知スイッチ６がオンの場合は、表示ユニット２が表示画面をカメラ本体１の背面部の反対側に向けて収納位置にあると判断して、ステップＳ１０５に進む。また、カメラ制御回路は、回転検知スイッチ６がオフの場合は、表示ユニット２が表示画面をカメラ本体１の背面部に向けて収納位置にあると判断して、警告をすることなくステップＳ１０７で電源をオフして処理を終了する。
【００３０】
ステップＳ１０５では、カメラ制御回路は、表示ユニット２の表示画面に図９に示す警告文を一定時間表示して、ステップＳ１０８に進み、カメラ本体１の電源をオフして処理を終了する。これにより、撮影者に対して表示ユニット２が表示画面を露出させた状態で収納されていることを通知して、表示画面をカメラ本体１の背面部に向けて表示ユニット２を収納するように促して表示画面に傷がついたりするのを防止する。
【００３１】
以上説明したように、本実施形態では、表示画面をカメラ本体１の背面部に向けた状態で表示ユニット２が収納位置にあるとき以外で電源ボタン４がオフ操作された場合に、撮影者に警告する。これにより、撮影者に対して表示画面をカメラ本体１の背面部に向けて表示ユニット２を収納するように促すことで、カメラの小型軽量化を可能にしつつ、カメラを持ち運ぶ際に表示画面に傷が付いたり表示ユニットが破損するのを防止することができる。
【００３２】
なお、本実施形態では、警告の手段として、表示画面での警告メッセージを例示したが、スピーカ９から警告音を発してもよい。また、電源ボタン４がオン操作されたことを検知してからカメラ本体１が起動するまでの間の一定時間、図１０のような警告メッセージを表示ユニット２に表示をしてもよい。また、表示ユニット２が収納位置で、表示画面がカメラ本体１の背面部を向いているときに、警告を解除できる等、各警告のオン／オフを切り替えられるモードを備えていてもよい。
【００３３】
また、オートパワーオフ機能を備える場合には、図１１に示すように、ステップＳ３０１で電源オフ信号が出力された場合、カメラ制御回路がオートパワーオフ信号か電源ボタン４のオフ操作によるオフ信号かを判断する処理を追加してもよい。
【００３４】
この場合、カメラ制御回路は、ステップＳ３０２でオートパワーオフ信号と判断した場合は、ステップＳ３０３で警告を行うことなく、電源をオフして処理を終了する。電源ボタン４のオフ操作によるオフ信号の場合は、カメラ制御回路は、図７のステップＳ１０２〜ステップＳ１０８の処理を実行する。
【００３５】
また、電源ボタン４がオン操作された際に、レンズユニットにレンズカバーが装着されている場合、又はカメラ本体１にレンズユニットが装着されていない場合に、これらを検知して、警告を行うようにしてもよい。
【００３６】
（第２の実施形態）
次に、図１２等を参照して、本発明の電子機器の第２の実施形態であるデジタルカメラを説明する。なお、上記第１の実施形態に対して重複又は相当する部分については、図及び符号を流用して説明する。
【００３７】
本実施形態では、カメラ本体１には、不図示の加速度センサが内蔵されている。加速度センサは、カメラ本体１の電源がオン状態のとき、カメラ本体１に対して何らかの衝撃が加わったことを検知して信号をカメラ制御回路に出力する。そして、カメラ制御回路は、カメラ本体１に衝撃が加わった際の加速度センサからの出力値が表示ユニット２が破損しない程度の値としてあらかじめ設定された設定値以上の場合に、カメラ本体に衝撃があったと判断する衝撃検出手段として機能する。
【００３８】
図１２は、カメラ本体１に対して何らかの衝撃が加わり、加速度センサから信号が出力されたときの動作を説明するフローチャート図である。図１２に示す各処理は、図示は省略するが、カメラ本体１のＲＯＭ等に記憶されたプログラムがＲＡＭに展開されてカメラ制御回路のＣＰＵ等により実行される。
【００３９】
図１２において、ステップＳ２０１では、カメラ制御回路は、カメラ本体１に対して何らかの衝撃が加わり、加速度センサから出力値が設定値以上の場合は、ステップＳ２０２に進む。ステップＳ２０２では、カメラ制御回路は、開閉検知スイッチ５の開閉検知スイッチ５のオン／オフ状態を判定する。そして、カメラ制御回路は、開閉検知スイッチ５がオンの場合は、表示ユニット２が突出位置（図３及び図４参照）にあると判断してステップＳ２０３に進む。一方、カメラ制御回路は、開閉検知スイッチ５がオフの場合は、表示ユニット２が収納位置（図５及び図６）にあると判断してステップＳ２０４に進む。
【００４０】
ステップＳ２０３では、カメラ制御回路は、表示ユニット２の表示画面に例えば図８に示す警告文を一定時間表示して、ステップＳ２０１に戻る。これにより、撮影者に対して突出位置にある表示ユニット２を表示画面をカメラ本体１の背面部に向けて収納するように促して表示画面に傷がついたり表示ユニット２が破損したりするのを防止する。
【００４１】
ステップＳ２０４では、カメラ制御回路は、回転検知スイッチ６のオン／オフ状態を判定する。そして、カメラ制御回路は、回転検知スイッチ６がオンの場合は、表示ユニット２が表示画面をカメラ本体１の背面部の反対側に向けて収納位置にあると判断して、ステップＳ２０５に進む。また、カメラ制御回路は、回転検知スイッチ６がオフの場合は、表示ユニット２が表示画面をカメラ本体１の背面部に向けて収納位置にあると判断して、警告をすることなくステップＳ２０１に戻る。
【００４２】
ステップＳ２０５では、カメラ制御回路は、表示ユニット２の表示画面に図９に示す警告文を一定時間表示して、ステップＳ２０１に戻る。これにより、撮影者に対して表示ユニット２が表示画面を露出させた状態で収納されていることを通知して、表示画面をカメラ本体１の背面部に向けて表示ユニット２を収納するように促して表示画面に傷がついたりするのを防止する。
【００４３】
なお、警告表示を行った後は、警告を行う前の表示状態となる。また、警告表示の際に図８及び図９のような警告表示のみの画面となると、上記第１の実施形態で説明したように、カメラ本体１の電源がオフしたと間違える可能性があるため、現在の表示画面に警告表示をオーバーラップさせて表示してもよい。また、警告を行うか否かを、通常使用時においての加速度センサの検知頻度により、切り替えるように制御してもよい。
【００４４】
以上説明したように、本実施形態によれば、カメラ本体１の電源がオンのとき、表示画面をカメラ本体１の背面部に向けた状態で表示ユニット２が収納位置にあるとき以外でカメラ本体１に何らかの衝撃が加わったときの警告が可能となる。このため、カメラ本体１の電源がオンのときに、表示ユニット２が破損する可能性の有る衝撃がカメラ本体１に加わったことをユーザに認識させると共に、撮影者に注意を促し、表示ユニット２の破損等を防ぐことが可能となる。その他の構成、及び作用効果は、上記第１の実施形態と同様である。
【００４５】
（第３の実施形態）
次に、図１３等を参照して、本発明の電子機器の第３の実施形態であるデジタルカメラを説明する。なお、上記第１の実施形態に対して重複又は相当する部分については、図及び符号を流用して説明する。
【００４６】
本実施形態では、上記第２の実施形態と同様に、カメラ本体１には、不図示の加速度センサが内蔵されている。また、カメラ制御回路は、加速度センサの出力値が表示ユニット２が破損しない程度の値としてあらかじめ設定された設定値以上となった場合に、ＲＡＭ等に初期設定される変数Ｘをインクリメントする。
【００４７】
図１３は、カメラ本体１の電源がオンされてからオフされるまでのデジタルカメラの動作を説明するフローチャート図である。図１３に示す各処理は、図示は省略するが、カメラ本体１のＲＯＭ等に記憶されたプログラムがＲＡＭに展開されてカメラ制御回路のＣＰＵ等により実行される。
【００４８】
図１３において、カメラ制御回路は、ステップＳ４０１でカメラ本体１の電源ボタン４がオン操作されて電源スイッチがオンになると、ステップＳ４０２で変数Ｘ＝０とし，ステップＳ４０３で各種スイッチを待機状態して、ステップＳ４０４に進む。
【００４９】
ステップＳ４０４では、カメラ制御回路は、加速度センサからの加速度の出力値が設定値以上であるかを判定し、設定値以上の場合、ステップＳ４０６で変数Ｘ＝１としてステップＳ４０５に進み、設定値未満の場合は、そのままステップＳ４０５に進む。
【００５０】
ステップＳ４０５では、カメラ制御回路は、電源ボタン４がオフ操作されて電源スイッチがオフしたかを判断し、電源スイッチがオフになっていない場合は、ステップＳ４０３に戻り、電源スイッチがオフになった場合は、ステップＳ４０７に進む。
【００５１】
ステップＳ４０７では、カメラ制御回路は、Ｘの値が１か０かを判定し、Ｘの値が０の場合は、ステップＳ４０８で電源をオフして処理を終了する。また、カメラ制御回路は、Ｘの値が１の場合は、上記第１の実施形態（図７）のステップＳ１０２〜ステップＳ１０８までの処理と同様の処理を実行して処理を終了する。
【００５２】
以上説明したように、本実施形態では、カメラ本体１の電源がオンの場合に、カメラ本体１への衝撃の有無に基づき、電源ボタン４がオフ操作されて電源をオフするまでの間に警告するか否かを判断する。これにより、カメラ本体１の使用状況に応じて、電源がオフとなったときの警告の有無の制御が可能となる。従って、カメラを持ち運ぶ際に、表示ユニット２が破損等することを防ぐことができると共に、電源オフ時に毎回警告が表示等される等の煩わしさを回避することができる。その他の構成、及び作用効果は、上記第１の実施形態と同様である。
【００５３】
なお、本発明は、上記各実施形態に例示したものに限定されるものではなく、本発明の要旨を逸脱しない範囲において適宜変更可能である。
【００５４】
また、本発明は、以下の処理を実行することによっても実現される。即ち、本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５５】
１  カメラ本体
２  表示ユニット
３  ヒンジ部
４  電源ボタン
５  開閉検知スイッチ
６  回転検知スイッチ
７  開閉可動部
８  回転可動部
【図１】
2017011656.tif 000003
【図２】
2017011656.tif 000004
【図３】
2017011656.tif 000005
【図４】
2017011656.tif 000006
【図５】
2017011656.tif 000007
【図６】
2017011656.tif 000008
【図７】
2017011656.tif 000009
【図８】
2017011656.tif 000010
【図９】
2017011656.tif 000011
【図１０】
2017011656.tif 000012
【図１１】
2017011656.tif 000013
【図１２】
2017011656.tif 000014
【図１３】
2017011656.tif 000015